(57)【要約】      （修正有）【課題】ネット収納枠体内への雪の堆積を防止し、かつゴミ投入者への情報提供を可能とするゴミステーション用自立型可撓性枠体を提供する。【解決手段】格子部を主部とする所定巾環状もしくは環状に変形可能なる可撓性を有する主枠体１を設け、該主枠体に固定される筒状のネット収納枠体４を設け、該ネット収納枠体内部を上下に二分する仕切り板を設け、仕切り板下方にポール保持のための有孔のウエイトを位置させ、該ウエイト内にその下部を保持されるポールを設けるとともに、このポールを前記ネット収納枠体上方に突出させ、該ポール上縁に掲示板１０を取り付け、ネット収納枠体４上縁に載置されて位置する上蓋１１を設けたことを特徴とする。【選択図】図６
0003189389.tif 000002
【実用新案登録請求の範囲】
【請求項１】
格子部を主部とする所定巾環状もしくは環状に変形可能なる可撓性を有する主枠体を設け、該主枠体に固定される筒状のネット収納枠体を設け、該ネット収納枠体内部を上下に二分する仕切り板を設け、仕切り板下方にポール保持のための有孔のウエイトを位置させ、該ウエイト内にその下部を保持されるポールを設けるとともに、このポールを前記ネット収納枠体上方に突出させ、該ポール上縁に掲示板を取り付け、ネット収納枠体上縁に載置されて位置する上蓋を設けたことを特徴とする掲示板付きゴミステーション用自立型可撓性枠体。
【請求項２】
主枠体もしくはネット収納枠体あるいはその双方に用いる枠体巾端に補強部を設けてなる請求項１記載のゴミステーション用自立型可撓性枠体。
【考案の詳細な説明】
【技術分野】
【０００１】  この考案は、掲示板付きのゴミステーション用自立型可撓性枠体に関する。
【背景技術】
【０００２】  従来より、可撓性枠体によるゴミステーション用の物品はあるが、これに掲示板を設けたものは見あたらない。
【先行技術文献】
【特許文献】
【０００３】
【特許文献１】特許第５２３４３８０号
【考案の概要】
【考案が解決しようとする課題】
【０００４】  上記の特許文献１に示されるゴミ収納具には、平断面が円形状、又は多角形状の縦に長い筒状の被覆材収納部と、被覆材収納部の筒外周に少なくとも１カ所で接続され平面サークル状に屈曲する衝立となり、内部にゴミを収納するサークル部と、シート又はネット状素材で、サークル部を上から覆ってゴミの飛散を防止する被覆材からなるゴミ集積所等のゴミ収納具であって、ゴミを収納しないときは、被覆材は畳んで被覆材収納部内に収納し、サークル部は被覆材収納部の筒外周に巻きつけることで収納可能としたゴミ収納具が示されている。
すなわち、上記特許文献１の図４に示されるように、可撓性の枠体と、この枠体に固定される同一素材による小円筒部分を設けて、この小円筒部分に、該枠体を覆うためのネット材を収納可能とし、かつ、枠体全体を丸めてコンパクトに折り畳んで、不使用時に電柱等の地上固定物に紐等にてくくりつけておける構成である。
これはゴミ収納の用途としては便利に使えるものであるが、冬季降雪地域での使用には別の問題が発生する。すなわち、前記の小円筒部分内に雪が堆積してネットの収納を妨げるという問題がある。また、ゴミステーションにはゴミ収納に関する情報、つまり何日にどの内容のゴミを出すべきかの表示がなされることが多いが、その表示手段が前記の特許文献１には見あたらない。本案は以上に鑑み、雪の堆積とゴミ排出に関する表示の双方の機能を満たすべく、新規に開発されたものである。
【課題を解決するための手段】
【０００５】  課題を解決する手段として本案は以下の構成とした。
すなわち、格子部を主部とする所定巾環状もしくは環状に変形可能なる可撓性を有する主枠体を設け、該主枠体に固定される筒状のネット収納枠体を設け、該ネット収納枠体内部を上下に二分する仕切り板を設け、仕切り板下方にポール保持のための有孔のウエイトを位置させ、該ウエイト内にその下部を保持されるポールを設けるとともに、このポールを前記ネット収納枠体上方に突出させ、該ポール上縁に掲示板を取り付け、ネット収納枠体上縁に載置されて位置する上蓋を設ける。本案は以上の構成よりなる掲示板付きゴミステーション用自立型可撓性枠体である。
【考案の効果】
【０００６】  本案は、下記の効果を有する。
１．主枠体は所定範囲内にて地上に自由に展開し広げることができるので、ゴミ袋数に対  応してその展開サイズを調整することができる。
２．ネット収納枠体を主枠体に固定して設け、該ネット収納枠体上縁を覆うとともに該上  縁より上方に移動可能なる上蓋を設けたので、降雪時におけるネット収納枠体内への雪  の堆積を防止することができる。
３．ネット収納枠体内下方に有孔のポール保持ウエイトを位置させ、この孔内にその下部  を位置させるとともに、ネット収納枠体より上方に突出するポールを設け、該ポール上  縁に掲示板を設けたので、ポールの安定保持と掲示板によるゴミ排出の注意事項など必  要な情報を的確に表示することができる。
４．主枠体は巻きまとめてコンパクト化ができるので、電柱その他の地上構成物に紐等に  てくくりつけることにより、ゴミ排出場所の特定と盗難防止の双方に有効なものとして  利用することができる。
【図面の簡単な説明】
【０００７】
【図１】本考案の正面図（枠体展開時）
【図２】本考案の平面図（枠体展開時）
【図３】本考案の要部構造説明図
【図４】本考案の要部構造説明図
【図５】本考案の使用状態図（枠体非展開時）
【図６】本考案の使用状態図（枠体展開時）
【考案を実施するための最良の形態】
【０００８】  以下、本考案の実施形態について説明する。
図において、１は略環状の主枠体で、格子部２を主部とした所定巾の合成樹脂製シート状枠体であって、可撓性を有し、該枠体の両巾端は非格子部としての補強部３が格子部と一体に形成される。４はネット収納枠体であって、前記の主枠体と同一素材にて平面視円形筒状に形成された部分であり、主枠体の両端が図２にて示されるように、ネット収納枠体側面に適宜固定部材（図示略）にて固定される。あるいは、主枠体を円形や楕円形状に展開可能として、この主枠体に内接もしくは外接してこのネット収納枠体を設けてもよい。
５は、ネット収納枠体の上下方向中間位置にて、水平に内接固定されて位置する円形合成樹脂板による仕切り板である。６はポール保持ウエイトで、後述のポールを立設保持するためのものである。このポール保持ウエイトは、側面視略円錐台形状のコンクリート製ブロック体であって、その中央上面から底面に至る貫通孔を有し、また、底面中央は所定巾と深さによる切除部による空隙部７が一方の外径端から他方の外径端に至って形成される。このポール保持ウエイトは仕切り板下方に載置されて位置する。【０００９】  ８は所定長管体によるポールで、その下部は前記のポール保持ウエイトの孔内に位置するとともに、その下端に近接してポール側面に垂直に貫通する小孔が穿設され、この小孔にピン９が圧入される。なお、このピン長はポール保持ウエイトの上下貫通孔サイズより長いので、ポールがポール保持ウエイトから抜けることが防止される。
１０は四角平板による掲示板で、適宜固定部材にてポール上縁部分に取り付けられる。
１１は上蓋で、前記仕切り板と同一素材による円形平板であり、その外径はネット収納枠体外径よりやや大きく形成され、この上蓋はその中央に孔を有してネット収納枠体上面に載置され、この孔よりポールが突出して位置している。
１２は吊り紐で、掲示板裏面適所と上蓋上面適所間に設けられて両者を接続している。
従って、この吊り紐を持ち上げると、上蓋はネット収納枠体上面から離れて上方へ移動し、主枠体を覆うためのネット２０をこのネット収納枠体内における仕切り板上に収納することができる。なお、このネットは市販品で、主枠体を地上に展開し広げた場合に、その全体を覆うに十分なるサイズを有する網状物品であり、鳥害を防止可能とするメッシュサイズにて設けられているものである。ネット収納後は、その上に上蓋が位置して、降雪によるネット収納枠体内への堆積が防止される。【００１０】  次に本案の使用について説明する。本案不使用時は図５にて示すように、枠体を巻回丸めて電柱等に紐にてくくりつけておく。使用時は、主枠体を地上に展開し広げて、その上にネットをかぶせておく。このとき、上蓋はネット収納枠体上面に載置されて位置し、上蓋中央の孔よりポールは上方へ突出しており、ポール上縁には掲示板が位置し、この掲示板には、ゴミ排出に関わる情報等が表示されている。また、上蓋と掲示板裏面適所間には吊り紐が固定されて位置している。ゴミ投入時には、ネットを少し持ち上げて主枠体内に持参したゴミ袋を投入し、ネットを元の位置に戻しておき、これを順次繰り返して、所定日時に至れば、ゴミ収集車がやってきてこのゴミは処理される。
以上の状態において、ネット収納枠体上面には上蓋が位置して、この枠体内への雪の堆積は防止される。また、ゴミ投入者は掲示板情報を目視して、ゴミ排出の日時とその内容を確認してゴミ排出を行うことができる。ゴミ処理後は、吊り紐にて上蓋を持ち上げて、ネット収納枠体内の仕切り板上に丸めたネットを収納することができ、収納後は上蓋をもとの位置に戻しておく。この上蓋はポールがガイドとなって、ネット収納枠体上面に正しく載置することができる。また、吊り紐にて接続されているので、その紛失は防止される。
不使用時には主枠体を丸めてネット収納枠体外面に巻きつけてコンパクト化ができ、図５にて示すように、電柱等に紐にてくくりつけて、その位置保持ができるとともに、紛失を防ぎ、歩道通行者の妨げの恐れがなくなる。【００１１】  以上、本案について記したが、本案は上蓋によるネット収納枠体内への雪の堆積を防止して、ネット収納機能の保全を行うとともに、ポール上方の掲示板にて必要情報をゴミ投入者に伝えるところにその特徴を有するものである。前記の特許文献１ではこれらの機能がないために、利便性に欠けるものであったが、本案にてこれが解消されるものとなったのである。なお、既例においては格子部と一体に補強部を設けたが、簡易タイプとしてこの補強部を設けずに格子部のみにて枠体を構成することも可能であり、あるいは格子部を設けずに単なるシート状の可撓性素材にて枠体を設けてもよく、これは主枠体とネット収納枠体のいずれか一方もしくは双方に適用可能である。
また、既例においてはウエイト上方に仕切り板を設けたが、ウエイト上面にこの仕切り板を固定して設けてもよい。以上のごとく、本案によって種々の利点を有するゴミステーション用の自立型可撓性枠体を得ることができる。
【符号の説明】
【００１２】  １  主枠体
２  格子部
３  補強部
４  ネット収納枠体
５  仕切り板
６  ポール保持ウエイト
７  空隙部
８  ポール
９  ピン
１０  掲示板
１１  上蓋
１２  吊り紐
２０  ネット
２１  ゴミ袋
２２  電柱
【図１】
0003189389.tif 000003
【図２】
0003189389.tif 000004
【図３】
0003189389.tif 000005
【図４】
0003189389.tif 000006
【図５】
0003189389.tif 000007
【図６】
0003189389.tif 000008